(57)【要約】【課題】バックライト光量の低下により消費電力の低減を図ると共に、これに伴う演算処理を、静止画のときに停止させることで、さらなる消費電力の低減を図る。【解決手段】入力された画像データをフレームメモリ４２に格納し、この画像データに基づき画像データを補正するための統計演算をヒストグラム生成部４３で行い、この統計演算結果に基づきフレームメモリ４２の画像データを補正すると共に調光率を算出し、時間フィルタ部４７でフィルタ処理後の画像データや調光率に基づき画像表示を行い、バックライトの光量を低減する。このとき、入力画像が静止画であるときには、算出した統計演算結果を記憶領域４３ｄに格納した後、ヒストグラム生成部４３を停止させると共に、時間フィルタ部４７を停止させ、以後、記憶領域４３ｄに格納した統計演算結果を用いて、フレームメモリ４２に記憶された画像データを補正して画像表示を行う。【選択図】図２
2008209828.tif 000002
【特許請求の範囲】
【請求項１】
入力される画像データが格納されるフレームメモリと、
フレーム画像毎の前記画像データに基づき、各画素の階調値について統計演算を行う統
計演算手段と、
当該統計演算手段での統計演算結果を用いて前記フレームメモリに格納された画像デー
タをフレーム単位で補正する補正手段と、
当該補正手段で補正された画像データを用いて画像表示を行う画像表示手段と、
補正された前記画像データに基づき光源の光源光量の制御量を算出し、当該制御量に応
じて前記光源光量を制御する光源制御手段と、
前記フレーム画像が、静止画を構成するフレーム画像であるか否かを判定する静止画判
定手段と、を備え、
前記統計演算手段は、前記静止画判定手段で静止画であると判定された場合、前記フレ
ーム画像が更新されるまでの間、前記統計演算を停止することを特徴とする画像表示装置
。
【請求項２】
前記統計演算手段は、前記静止画判定手段で静止画であると判定された場合、当該静止
画のフレーム画像に対する統計演算を行い、当該統計演算結果を記憶領域に記憶した後に
前記統計演算を停止し、
前記補正手段は、前記統計演算手段での統計演算が停止している間、前記記憶領域の前
記統計演算結果を用いて前記画像データの補正を行うことを特徴とする請求項１記載の画
像表示装置。
【請求項３】
前記補正手段は、前記フレームメモリに格納された画像データを、当該画像データに基
づく前記統計演算手段での統計演算結果に基づき補正した後、補正後の画像データを前記
フレームメモリに格納し、
前記画像表示手段では、前記フレームメモリに格納された補正後の画像データを用いて
画像表示が行われ、
前記補正手段は、前記静止画判定手段で静止画であると判定された場合、前記フレーム
画像が更新されるまでの間、補正処理を停止することを特徴とする請求項１記載の画像表
示装置。
【請求項４】
前記統計演算手段は、入力される画像データに対して、前記統計演算を行うと共に、当
該画像データを前記フレームメモリに格納することを特徴とする請求項３記載の画像表示
装置。
【請求項５】
前記補正した画像データ及び前記光源光量の制御量の少なくとも何れか一方に対してロ
ーパスフィルタ処理を行うフィルタ手段を備え、
当該フィルタ手段は、前記静止画判定手段で静止画であると判定された場合、前記フレ
ーム画像が更新されるまでの間、前記フィルタ処理を停止することを特徴とする請求項１
乃至４の何れか１項に記載の画像表示装置。
【請求項６】
前記画像データを供給する供給元装置は、静止画に対応する前記フレーム画像の画像デ
ータに、静止画であることを表す静止画情報を付加して供給し、
前記静止画判定手段は、前記画像データに付加された前記静止画情報に基づき静止画で
あるか否かを判定することを特徴とする請求項１乃至５の何れか１項に記載の画像表示装
置。
【請求項７】
請求項１乃至６の何れか１項に記載の画像表示装置を備えることを特徴とする電子機器
。
【発明の詳細な説明】
【技術分野】
【０００１】
本発明は、入力される画像データに応じて、画像データの輝度及び光源の光源光量を調
整して画像表示を行うようにした画像表示装置及びこれを用いた電子機器に関する。
【背景技術】
【０００２】
従来、液晶パネル等の非発光型表示デバイスを採用するノート型コンピュータ等の画像
表示装置では、外部からの電力の供給がないときには、バッテリから供給された電力を光
源（例えば、冷陰極管）が光に変換して、液晶パネルを透過させる光の量を制御すること
により表示を行っている。
一般に、装置全体の消費電力のうち光源が消費する電力の割合は大きい。そこで、バッ
テリ駆動時には光源が発する光源光量を少なくする（以下、「減光」ともいう。）ことに
より装置の消費電力を低減している。また、光源光量を少なくしたときには、画面全体の
輝度低下に伴い視認性が低下するので、光源光量を少なくすることによる消費電力の低減
と視認性の維持とを両立することができる技術が望まれている。
【０００３】
このような技術として、例えば、ＲＧＢで表されたデータを輝度色差データに変換して
、輝度強調及びバックライト光量低下（減光）の処理を行うことにより、見かけ上の明る
さを損なわずに消費電力を低減する技術が提案されている（例えば、特許文献１、特許文
献２参照）。
【特許文献１】特開２００４−２４６０９９号公報
【特許文献２】特開２００４−５４２５０号公報
【発明の開示】
【発明が解決しようとする課題】
【０００４】
上述のように、バックライト光量を低下させることにより、消費電力の低減を図ること
ができるものの、さらなる消費電力の低減が望まれている。
そこで、この発明は、上記従来の未解決の問題に着目してなされたものであり、消費電
力をさらに低減することの可能な画像表示装置及びこれを用いた電子機器を提供すること
を目的としている。
【課題を解決するための手段】
【０００５】
上記した課題を解決するために、本発明の画像表示装置は、入力される画像データが格
納されるフレームメモリと、フレーム画像毎の前記画像データに基づき、各画素の階調値
について統計演算を行う統計演算手段と、当該統計演算手段での統計演算結果を用いて前
記フレームメモリに格納された画像データをフレーム単位で補正する補正手段と、当該補
正手段で補正された画像データを用いて画像表示を行う画像表示手段と、補正された前記
画像データに基づき光源の光源光量の制御量を算出し、当該制御量に応じて前記光源光量
を制御する光源制御手段と、前記フレーム画像が、静止画を構成するフレーム画像である
か否かを判定する静止画判定手段と、を備え、前記統計演算手段は、前記静止画判定手段
で静止画であると判定された場合、前記フレーム画像が更新されるまでの間、前記統計演
算を停止することを特徴としている。
【０００６】
このように、統計演算手段を停止させ、この間の消費電力を削減することによって、装
置全体の消費電力の低減を図ることができる。
また、上記した画像表示装置において、前記統計演算手段は、前記静止画判定手段で静
止画であると判定された場合、当該静止画のフレーム画像に対する統計演算を行い、当該
統計演算結果を記憶領域に記憶した後に前記統計演算を停止し、前記補正手段は、前記統
計演算手段での統計演算が停止している間、前記記憶領域の前記統計演算結果を用いて前
記画像データの補正を行うことを特徴としている。
【０００７】
統計演算手段での統計演算が停止している間、統計演算結果を得ることができないが、
予め統計演算結果を記憶領域に保存しているため、この保存している統計演算結果を用い
ることによって、補正手段での画像データの補正を的確に行うことができる。また、統計
演算手段での統計演算が停止している期間は、静止画でありフレーム画像の画像データが
変化しない期間であることから、記憶領域に保存している統計演算結果を用いて画像デー
タの補正を行ったとしても何ら問題なく実現することができる。
【０００８】
また、上記した画像表示装置において、前記補正手段は、前記フレームメモリに格納さ
れた画像データを、当該画像データに基づく前記統計演算手段での統計演算結果に基づき
補正した後、補正後の画像データを前記フレームメモリに格納し、前記画像表示手段では
、前記フレームメモリに格納された補正後の画像データを用いて画像表示が行われ、前記
補正手段は、前記静止画判定手段で静止画であると判定された場合、前記フレーム画像が
更新されるまでの間、補正処理を停止することを特徴としている。
このように、統計演算手段での統計演算を停止するだけでなく、補正手段での補正処理
をも停止することから、これら統計演算及び補正処理に伴う消費電力を削減することがで
き、装置全体の消費電力をより低減することができる。
【０００９】
また、上記した画像表示装置において、前記統計演算手段は、入力される画像データに
対して、前記統計演算を行うと共に、当該画像データを前記フレームメモリに格納するこ
とを特徴としている。
このように、統計演算手段では、フレームメモリに書き込む前の画像データを用いて統
計演算を行っていることから、その分より早い時点から統計演算を開始することができ、
すなわちより早い時点で統計演算結果を得ることができる。
【００１０】
また、上記した画像表示装置において、前記補正した画像データ及び前記光源光量の制
御量の少なくとも何れか一方に対してローパスフィルタ処理を行うフィルタ手段を備え、
当該フィルタ手段は、前記静止画判定手段で静止画であると判定された場合、前記フレ
ーム画像が更新されるまでの間、前記フィルタ処理を停止することを特徴としている。
このように、フィルタ手段によるフィルタ処理をも停止することから、その分、消費電
力の削減を図ることができ、装置全体の消費電力をより低減することができる。
【００１１】
また、上記した画像表示装置において、前記画像データを供給する供給元装置は、静止
画に対応する前記フレーム画像の画像データに、静止画であることを表す静止画情報を付
加して供給し、前記静止画判定手段は、前記画像データに付加された前記静止画情報に基
づき静止画であるか否かを判定することを特徴としている。
このように、画像データの供給元装置側で、静止画である否かの静止画情報を付加して
いることから、静止画判定手段では静止画情報を参照することにより、静止画であるか否
かを容易に判定することができる。
また、本発明における電子機器は、上記した画像表示装置を備えることを特徴としてい
る。
これによって、画像表示装置を備えた電子機器において、その消費電力をより削減する
ことができる。
【発明を実施するための最良の形態】
【００１２】
以下、本発明の実施の形態を説明する。
まず、第１の実施の形態を説明する。
図１は、本発明を適用した画像表示装置１のハードウェア構成を示す図である。
図１に示すように、画像表示装置１は、入力インタフェース（以下、入力Ｉ／Ｆという
。）１０、演算処理装置（以下、ＣＰＵともいう。）１１、ＲＯＭ１２、ＲＡＭ１３、ハ
ードディスク（以下、ＨＤともいう。）１４、画像処理エンジン１５、ＣＤ−ＲＯＭドラ
イブ１６、表示インタフェース（以下、表示Ｉ／Ｆともいう。）１７及び電源インタフェ
ース（以下、電源Ｉ／Ｆともいう。）１８、を備えている。これらはバス１９を介して相
互に接続されている。また、表示Ｉ／Ｆ１７には表示パネル３０が接続され、電源Ｉ／Ｆ
１８には、電力供給装置３１が接続されている。なお、画像表示装置１の具体的な例とし
ては、表示パネル３０により画像を表示することができるノート型コンピュータ、プロジ
ェクタ、テレビ、携帯電話等を想定している。また、画像処理エンジン１５はメインバス
上でなく、画像入力（ＣＰＵによるＩ／Ｏや、通信・外部装置からのＤＭＡ等）から画像
出力の間の専用バス上に配置してもよい。
【００１３】
入力Ｉ／Ｆ１０には、画像信号を入力する装置としてのデジタルビデオカメラ２０及び
デジタルスチルカメラ２１等が接続されている。また、ネットワーク機器からの配信映像
、電波による配信映像等も、入力Ｉ／Ｆ１０を介して画像表示装置１に入力される。
ＣＰＵ１１は、画像表示装置１において行われる各種処理を制御する部分であるが、特
に、入力Ｉ／Ｆ１０を介しての画像信号の入力や、ＨＤ１４や、ＣＤ２２に記憶された画
像信号の再生が行われると、画像処理エンジン１５に画像信号を受け渡して、画像表示を
行わせる。
【００１４】
電力供給装置３１は、その内部に設けられたバッテリに蓄積される電力や、画像表示装
置１の外部から供給される電力を、バックライト３２を含む画像表示装置１の各部に供給
する。
バックライト３２は、電力供給装置３１より供給される電力を光に変換する冷陰極管、
ＬＥＤ（Light Emitting Diode）等の光源である。バックライト３２からの光は、バック
ライト３２と表示パネル３０に挟まれる各種シート等によって拡散されて、ほぼ均一な光
として表示パネル３０に照射される。
【００１５】
表示パネル３０は、表示Ｉ／Ｆ１７を介して入力した画像データに対応する駆動信号に
したがって、光を変調することにより、バックライト３２より受光した光の光量と表示パ
ネル３０を透過する光の光量との比率である透過率を画素毎に制御して、カラー画像を表
示する透過型の液晶パネルである。なお、表示パネル３０は光の透過率を制御することに
より表示を行うものであるので、バックライト３２より供給される光量に比例して表示す
る画像の輝度が変化する。
【００１６】
図２は、画像処理エンジン１５の構成を示した図である。
図２に示すように、画像処理エンジン１５は、フレーム画像取得部４０、色変換部４１
、フレームメモリ４２、ヒストグラム生成部４３、レベル補正部４４、明るさ補正部４５
、調光率演算部４６、時間フィルタ部４７、画像表示信号生成部４８、バックライト制御
部４９、及び判定部５０を備えている。
【００１７】
フレーム画像取得部４０は、入力Ｉ／Ｆ１０を介して画像表示装置１に入力した画像信
号から、各フレームの画像であるフレーム画像の画像データを順次取得する処理を行う。
入力される画像信号は、例えば、時系列に連続する複数の静止画像（以下、フレーム画像
と呼ぶ。）を示すデータである。画像信号は、圧縮したデータや、入力した画像信号がイ
ンターレース方式のデータであることもある。このような場合、フレーム画像取得部４０
は、圧縮されたデータを解凍する処理やインターレース方式のデータをノンインターレー
ス方式のデータに変換する処理を行うことにより、画像信号の各フレーム画像の画像デー
タを、画像処理エンジン１５が処理することのできる形式の画像データに変換するように
して、画像データを取得する。例えば、縦横６４０×４８０画素等、マトリクス状に配列
された多数の画素について、主に、Ｙ（輝度）、Ｃｂ（Ｕ）（青−黄色の軸によって規定
される色差）、及びＣｒ（Ｖ）（赤−緑の軸によって規定される色差）により表されるＹ
ＣｂＣｒデータを画像データとして取得する。なお、フレーム画像を表す画素数、各画素
の階調数は任意に設定することができ、また、画像データの表現形式についてもＲＧＢデ
ータ等様々な表現形式のデータであってもよい。
【００１８】
また、画像表示装置１への画像信号の供給元である、デジタルビデオカメラ２０やデジ
タルスチルカメラ２１等の各種画像供給元装置は、画像信号と共に、静止画、つまり、複
数フレーム更新周期にわたってそのフレーム画像が変化しない画像については、この静止
画の画像信号の先頭に、静止画であることを表す画像モード及びそのデータ量、つまり１
フレームのデータ量を付加して送信するように構成してもよく、その場合には、フレーム
画像取得部４０では、獲得したフレーム画像と共に、これら画像モード及びデータ量を判
定部５０に出力する。また、画像供給元装置は、静止画の画像データを送信した後、画像
が静止している間は、画像データの送信は行わない。すなわち同一の画像データの送信は
行わず、画像が変化するときに画像データの送信を再開する。
【００１９】
色変換部４１は、フレーム画像取得部４０が取得した画像データを、輝度値Ｙ及び色差
データに変換する処理を行う。つまり、色変換部４１は、取得した画像データがＹＣｂＣ
ｒデータであれば色変換を行わないが、取得した画像データがＲＧＢデータである場合に
色変換を行う。例えば、次式（１）に示す変換式を計算することにより、ＲＧＢデータを
ＹＣｂＣｒデータに変換する。
【００２０】
Ｙ＝０．２９９Ｒ＋０．５８７Ｇ＋０．１１４Ｂ
Ｃｂ＝−０．１６８４Ｒ−０．３３１６Ｇ＋０．５０００Ｂ
Ｃｒ＝０．５０００Ｒ−０．４１８７Ｇ−０．０８１３Ｂ                ……（１）
【００２１】
なお、色変換部４１は、前記式（１）の変換結果をＲＧＢの各階調（例えば、０〜２５
５）ごとに表した色変換テーブルを格納しておき、この色変換テーブルに基づいて例えば
２５６階調（８ビット）で表す階調値に変換してもよい。
色変換部４１で処理された画像データは、フレームメモリ４２に格納される。このフレ
ームメモリ４２は、１画面分の画像データを保存する。
【００２２】
ヒストグラム生成部４３は、フレーム画像の輝度値Ｙについてヒストグラムを算出する
。このヒストグラム生成部４３では、図３（ａ）に示すように、輝度値Ｙについて比較部
４３ａで何れの階調に属するかを判定し、その判定結果を、対応する階調加算部４３ｂで
加算し、階調加算部４３ｂでの加算結果を用いて、統計処理部４３ｃで、図３（ｂ）に示
すような、横軸を階調、縦軸を度数とする、ヒストグラムを得ると共に、最大値や最小値
、平均値等といった予め設定した分布特性値を算出する。なお、図３（ｂ）では、６４階
調の場合を示している。
【００２３】
そして、ヒストグラム生成部４３は、このようにして算出した分布特性値等を、統計演
算結果として、所定の記憶領域４３ｄに格納する。また、ヒストグラム生成部４３では、
判定部５０から停止指令を入力したときは、比較部４３ａ及び階調加算部４３ｂではその
演算を停止し、統計処理部４３ｃでは分布特性値等の統計演算結果を記憶領域４３ｄに格
納した後、統計演算を停止する。なお、記憶領域４３ｄでは停止状態である間もその記憶
情報を保存可能に構成される。また、ヒストグラム生成部４３は、停止指令が入力されな
くなったとき、動作状態に復帰する。
【００２４】
レベル補正部４４は、ヒストグラム生成部４３で算出し記憶領域４３ｄに格納されてい
る最大値や最小値等の分布特性値に基づき、輝度値Ｙが分布している範囲を拡大させるレ
ベル補正を、予め設定した関数を用いて行うことにより、フレーム画像のコントラストを
高める。
明るさ補正部４５は、例えば、予め設定した輝度の基準値と輝度値Ｙの平均値との差に
応じて決定される明るさ補正量や、輝度値Ｙの最大値、最小値等の分布特性値に基づいて
、予め設定した関数を用いて、所定の明るさ基準に近づくように明るさ補正を行い、画像
データの輝度値の偏りが小さくなるように補正すると共に、調光を行うことにより表示す
る画像に生じる輝度の変化を減少させるように補正を行う。
【００２５】
調光率演算部４６は、例えば、明るさ補正部４５で用いた明るさ補正量や、輝度値Ｙの
平均値及び平均色差、また、輝度値Ｙの最大値や最小値等の分布特性値に基づいて予め設
定した関数にしたがって、画面の見かけ上の明るさを損なうことのないバックライト３２
の調光率を算出する。
時間フィルタ部４７は、明るさ補正部４４で補正した輝度値及び調光率演算部４６で演
算した調光率に対し、それぞれ異なる時定数でローパスフィルタ処理を行い、急峻な変化
を許容しつつ平滑化を行う。また、時間フィルタ部４７は判定部５０から停止指令を入力
したときにはローパスフィルタ処理を停止し、停止指令の入力が終了したとき動作状態に
復帰する。
【００２６】
そして、この時間フィルタ部４７でフィルタ処理した輝度値を用いて、画像表示信号生
成部４８では、レベルや明るさ補正が行われた画像表示信号を生成し、また、光源制御部
４９では時間フィルタ部４７でフィルタ処理された調光率を用いて電力供給装置３１がバ
ックライト３２へ供給する電力を制御することにより、バックライト３２が発生する光量
（光源光量）の調光を行う。そして、画像表示信号生成部４８は、光源制御部４９が光源
を制御するタイミングと同期を取りながら、生成した画像表示信号を表示パネル３０に送
信する。表示パネル３０は、受信した画像表示信号に基づいて、バックライト３２が発す
る光を変調して画素毎に透過量を制御することにより画像を表示する。
【００２７】
判定部５０は、コマンド判定部５０ａとカウンタ部５０ｂとから構成され、カウンタ部
５０ｂは、例えば、アドレスカウンタとカウンタ回路とから構成される。コマンド判定部
５０ａは、フレーム画像取得部４０で取得したフレーム画像、画像モード及びデータ量を
入力し、画像モードとして静止画モードが設定されているときには、入力される画像デー
タについて、フレーム画像毎にその先頭に付加されているフレームメモリ４２への書き込
みを許可するための書き込み制御コマンドＷＲを検索し、書き込み制御コマンドＷＲを入
力したとき、これをトリガとしてアドレスカウンタでの画像データのカウントを開始させ
る。アドレスカウンタでは、画像データのカウント値が、通知されたフレーム画像の画像
データ量相当に達したときカウンタ回路を起動し、このカウンタ回路のカウンタ値が停止
指令出力規定値に達したとき、ヒストグラム生成部４３及び時間フィルタ部４７に対して
停止指令を出力する。前記停止指令出力規定値は、静止画のフレーム画像の画像データに
対するヒストグラム生成部４３での演算処理と、このヒストグラム生成部４３での統計演
算結果を用いて補正した画像データ及び調光率に対する時間フィルタ部４７でのフィルタ
処理が終了するまでの所要時間に相当する値に設定される。
【００２８】
一方、コマンド判定部５０ａは、画像モードとして静止画モードが設定されていないと
きには動画モードであると判定し、カウンタ部５０ｂによる停止指令の出力を終了させる
と共に、画像データ等のカウントは行わない。
次に、上記画像表示装置１の動作を、図４及び図５のタイミングチャートを用いて説明
する。なお、図４及び図５において、（ａ）は画像信号が静止画であるか動画であるかを
表す画像モードを表し、低レベルは動画、高レベルは静止画であることを表す。また、（
ｂ）は入力される画像信号のフレーム画像、（ｃ）は垂直同期信号、（ｄ）はフレームメ
モリ４２から読み出されるフレーム画像、（ｅ）は時間フィルタ部４７の動作状態、（ｆ
）はヒストグラム生成部４３で保持している統計演算結果がどのフレーム画像に基づき算
出されたものであるか、（ｇ）は表示パネル３０に表示される画像が、どのフレーム画像
に対応する画像であるか、を表す。
【００２９】
デジタルビデオカメラ２０やデジタルスチルカメラ２１等の画像供給元装置から画像入
力を行うと、その画像信号、画像モードやデータ量はフレーム画像取得部４０に入力され
、ここでフレーム画像が取得されて色変換部４１に出力されると共に、画像信号、画像モ
ードやデータ量が判定部５０に入力される。
判定部５０では、画像モードを判定し、動画モードが設定されていれば、カウンタ部５
０ｂを作動させない。このため、停止指令は出力されない。
【００３０】
一方、色変換部４１で色変換されたフレーム画像の画像データはフレームメモリ４２に
一旦格納された後、ここから順次読み出され、前回のフレーム画像に基づき算出され記憶
領域４３ｄに格納されている分布特性値等の統計演算結果に基づいてレベル補正部４４で
補正が行われ、さらに明るさ補正部４５での明るさ補正及び調光率演算部４６での調光率
の演算が行われ、これらが時間フィルタ部４７でフィルタ処理される。そして、この所定
の補正がなされた画像データに基づいて画像表示信号生成部４８で画像表示信号が生成さ
れ、これに基づき表示が行われると共に、調光率に応じてバックライト制御部４９により
バックライト３２の調光が行われる。
これと並行して、ヒストグラム生成部４３では、フレームメモリ４２に格納された画像
データに対し、ヒストグラムの作成や分布特性値の演算等を行う。
【００３１】
これによって、図４に示すように、フレーム画像Ａ、Ｂ、Ｃ、Ｄ、…の順にその画像デ
ータが入力されると、これらフレーム画像の画像データは、順に、フレームメモリ４２に
格納される。そして、フレーム更新周期ｔ２で、フレームメモリ４２からフレーム画像Ａ
の画像データが読み出されるときには、この時点では、まだヒストグラム生成部４３での
フレーム画像Ａに基づく分布特性値等の統計演算結果が得られていないことから、一つ前
のフレーム画像であるＸＸに基づいて算出した統計演算結果ｘｘに基づいて、フレーム画
像Ａに対するレベル補正が行われ、さらに、明るさ補正等が行われてフレーム画像Ａ相当
の画像Ａ’が表示されることになる。
【００３２】
このフレーム画像Ａを表示するための処理が行われている間、ヒストグラム生成部４３
では、フレームメモリ４２に格納されたフレーム画像Ａに基づきヒストグラムを生成し所
定の統計演算結果を得る。
そして、次のフレーム更新周期ｔ３で、フレームメモリ４２からフレーム画像Ｂが読み
出されるときには、フレーム画像Ａに基づく統計演算結果ａを用いてフレーム画像Ｂのレ
ベル補正等が行われ、これに基づいてフレーム画像Ｂ相当の画像Ｂ’が表示される。
【００３３】
このフレーム画像Ｂを表示するための処理が行われている間、ヒストグラム生成部４３
では、フレームメモリ４２に格納されたフレーム画像Ｂに基づきヒストグラムを生成して
統計演算結果を得る。以後、フレーム画像Ｃ、Ｄ、…の順に同様に処理が行われる。
したがって、各フレーム画像は、１つ前のフレーム画像に基づいて算出した分布特性値
等の統計演算結果に基づいて、レベル補正等が行われこれに基づいて画像表示が行われる
ことになり、また、フレーム画像の輝度に応じてバックライトの光源量が低減されて、電
力消費が図られることになる。
【００３４】
一方、このように動画を入力している状態から、静止画を表示する状態となると、画像
供給元装置において、静止画であるフレーム画像Ａの画像信号を送信する際に、画像モー
ドとして静止画モードを設定して送信する。このため、判定部５０では、画像モードとし
て静止画モードが設定されていることから、フレーム画像取得部４０から入力される画像
データについて、書き込み制御コマンドＷＲを検索し、この書き込み制御コマンドＷＲを
検出したとき、１フレーム画像の先頭の画像データであると判断し、カウンタ部５０ｂの
アドレスカウンタでの画像データのカウントを開始させる。そして、アドレスカウンタが
規定値に達し、カウンタ回路が起動されこのカウンタ値が停止指令出力規定値に達したと
きに、停止指令が、ヒストグラム生成部４３及び時間フィルタ部４７に出力される。
【００３５】
一方、フレーム画像Ａの画像データは、時点ｔ１１のフレーム更新周期で、フレームメ
モリ４２に格納されている１つ前の画像フレームＸＸの画像データが読み出された後、フ
レームメモリ４２に格納され、時点ｔ１２のフレーム更新周期で、フレームメモリ４２か
ら順次読み出され、フレーム画像ＸＸに基づき算出した統計演算結果ｘｘに基づいて、レ
ベル補正等が行われた後、統計演算結果ｘｘで補正を行ったフレーム画像Ａ相当のフレー
ム画像Ａ”が表示されることになる。
【００３６】
これと並行して、ヒストグラム生成部４３では、フレームメモリ４２に書き込まれたフ
レーム画像Ａに基づきヒストグラムを生成してその分布特性値を算出し所定の統計演算結
果を得る。そして、静止画であるフレーム画像Ａに対する分布特性値等の統計演算結果ａ
を所定の記憶領域４３ｄに格納した後のタイミングで、判定部５０から停止指令が入力さ
れ、このタイミングで、比較部４３ａ、階調加算部４３ｂ及び統計処理部４３ｃが停止す
る。これら各部が停止している間も、記憶領域４３ｄに格納された統計演算結果ａは保存
される。
【００３７】
また、時間フィルタ部４７では、静止画であるフレーム画像Ａに対してレベル補正等が
行われ、明るさ補正後の画像データ及び演算した調光率に対するフィルタ処理が終了した
後のタイミングで、判定部５０から停止指令が入力され、このタイミングで、フィルタ処
理を停止する。
このとき、フレーム画像Ａは静止画であって、フレーム更新周期ｔ１２では、新たなフ
レーム画像を入力していないことから、フレームメモリ４２にはフレーム画像Ａの画像デ
ータが格納されたままとなる。
【００３８】
続いて、時点ｔ１３のフレーム更新周期で、フレームメモリ４２に格納されているフレ
ーム画像、すなわち、フレーム画像Ａの画像データが読み出され、記憶領域４３ｄに記憶
されている統計演算結果、すなわち、フレーム画像Ａの統計演算結果ａを用いてレベル補
正等が行われ、画像表示が行われる。これによって、フレーム画像Ａの統計演算結果ａを
用いて補正したフレーム画像Ａ相当の画像Ａ’が表示されることになる。この時点では、
時間フィルタ部４７は停止しているため、所定の補正後の画像データや調光率に対してフ
ィルタ処理が行われないことになるが、この時点ｔ１３のフレーム更新周期で表示する画
像Ａ’と、時点ｔ１２のフレーム更新周期で表示する画像Ａ”は、共に、フレーム画像Ａ
相当の画像であることから、補正後の画像データにそれほど大きな差が生じることはなく
、また、フレーム画像Ａの画像データを、フレーム画像ＸＸに基づく統計演算結果ｘｘと
フレーム画像Ａに基づく統計演算結果ａとで補正を行っていることから、これらフレーム
画像ＸＸ及びＡの画像データ間に、大きな差があれば、この差が統計演算結果ｘｘ及びａ
間に現れ、補正後の画像Ａ”とＡ’との間に現れることから、フィルタ処理を行わなくと
も何ら問題はない。
【００３９】
続いて、時点ｔ１４のフレーム更新周期でも、フレームメモリ４２に格納されているフ
レーム画像Ａの画像データと、記憶領域４２ｄに格納されている、フレーム画像Ａに基づ
く統計演算結果ａとに基づいて、画像Ａ’が表示される。
そして、時点ｔ１５のフレーム更新周期で、フレーム画像Ａが静止画であるフレーム画
像Ｂに切り替わると、このフレーム画像Ｂの画像信号及び画像モード、データ量等が、画
像供給元装置から入力され、判定部５０では、新たにフレーム画像を入力したことから、
ヒストグラム生成部４３及び時間フィルタ部４７への停止指令の出力を終了する。また、
画像モードが静止画モードとして設定されていることから、その書き込み制御コマンドＷ
Ｒを検出したタイミングをトリガとして、カウンタ部５０ｂでのアドレスカウンタによる
画像データのカウントを開始させ、アドレスカウンタが規定値に達し、カウンタ回路が起
動されこのカウンタ値が停止指令出力規定値に達したとき停止指令が出力される。
【００４０】
一方、時点ｔ１５のフレーム更新周期でフレームメモリ４２のフレーム画像Ａの画像デ
ータが読み出され、引き続き記憶領域４３ｄの統計演算結果ａを用いてレベル補正等が行
われ、統計演算結果ａに基づく画像Ａ’が表示されると共に、フレームメモリ４２に次の
フレーム画像Ｂが書き込まれる。
続いて、時点ｔ１６のフレーム更新周期で、フレームメモリ４２からフレーム画像Ｂの
画像データが読み出され、これに対してフレーム画像Ａに基づく統計演算結果ａを用いて
所定の補正が行われ、動作状態に復帰した時間フィルタ部４７でフィルタ処理された後、
画像Ｂ”が表示される。この時間フィルタ部４７には、静止画であるフレーム画像Ｂに対
してフィルタ処理を行った後のタイミングで、判定部５０から停止指令が入力され、時間
フィルタ部４７では、このタイミングで再度、フィルタ処理を停止する。
【００４１】
また、フレームメモリ４２に書き込まれたフレーム画像Ｂに基づいて、動作状態に復帰
したヒストグラム生成部４３で、所定の演算が行われて統計演算結果ｂが獲得される。そ
して、この統計演算結果ｂが記憶領域４３ｄに格納された後のタイミングで、判定部５０
から停止指令が入力され、このタイミングで、ヒストグラム生成部４３は再度、各部の処
理を停止する。
【００４２】
続いて、時点ｔ１７のフレーム更新周期では、フレームメモリ４２には、静止画である
フレーム画像Ｂが格納されたままであることから、このフレーム画像Ｂが読み出され、停
止状態のヒストグラム生成部４３の記憶領域４３ｄに格納されているフレーム画像Ｂに基
づく統計演算結果ｂに基づいて、レベル補正等が行われ、統計演算結果ｂに基づき補正し
たフレーム画像Ｂに相当する画像Ｂ’が表示される。このとき、時間フィルタ部４７は停
止状態であるから、フィルタ処理は行われない。そして、時点ｔ１８のフレーム更新周期
でも同様に処理が行われ、フレームメモリ４２のフレーム画像Ｂに対し、統計演算結果ｂ
に基づき所定の補正が行われ、フレーム画像Ｂに相当する画像Ｂ’が表示される。
【００４３】
ここで、上述のように、静止画であるフレーム画像Ａ及びＢについて、その分布特性値
等の統計演算結果を算出した後の、時点ｔ１３からｔ１５のフレーム更新周期、時点ｔ１
７、ｔ１８のフレーム更新周期では、ヒストグラム生成部４３では、記憶領域４３ｄに記
憶した統計演算結果の保存のみを行い、その他の処理は停止している。同様に、時間フィ
ルタ部４７でもこの間処理を停止している。したがって、ヒストグラム生成部４３及び時
間フィルタ部４７での処理を停止している分だけ、その消費電力の削減を図ることができ
る。この停止している期間は、静止画であるため、フレーム画像が更新されることはなく
、このため分布特性値等の統計演算結果が変化することはない。したがって、この間、分
布補正値等の算出を行わなくとも何ら問題はなく、また、明るさ補正後の画像データや調
光率も変化することはないから、これらに対するフィルタ処理を行わなくとも何ら問題は
ない。
【００４４】
また、画像信号を供給する側であり、且つ、静止画であるか動画であるかを把握してい
る画像供給元装置で、静止画であるか否かを表す画像モード情報を付加し、この画像モー
ド情報を用いて画像表示装置１側では、静止画であるか動画であるかを判定するようにし
ているから、画像表示装置１側ではこの判別を容易に行うことができると共に、画像供給
元装置でも、画像モード情報の付加を行うことによる負荷増大を伴うことなく実現するこ
とができる。
なお、ここでは、画像供給元装置から画像モードを通知する場合について説明したが、
これに限るものではなく、例えば、画像表示装置１側で、フレーム間での画像データの変
化状況から、静止画であるか動画であるかを判定するようにしてもよい。
【００４５】
次に、本発明の第２の実施の形態を説明する。
この第２の実施の形態は、第１の実施の形態において画像処理エンジン１５の構成が異
なること以外は同一であるので、同一部分には同一符号を付与しその詳細な説明は省略す
る。
図６は、第２の実施の形態における画像処理エンジン１５の構成を示した図である。
図６に示すように、第２の実施の形態における画像処理エンジン１５は、フレーム画像
取得部４０、色変換部４１、切り替え部５１及び５２、判定部５３、画像処理部５４、フ
レームメモリ５５、ラインバッファ５６、γ補正部５７、反転処理部５８、ソースアンプ
５９及びバックライト制御部４９を備えている。なお、ラインバッファ５６、γ補正部５
７、反転処理部５８及びソースアンプ５９が画像表示手段に対応している。前記切り替え
部５１は、前記色変換部４１からの画像データとフレームメモリ５５の画像データとのう
ちの何れか一方のみを入力する。また、切り替え部５２は、前記切り替え部５１の出力と
画像処理部５４の出力とのうちの何れか一方のみを入力し、これをフレームメモリ５５に
出力する。
【００４６】
前記フレーム画像取得部４０、色変換部４１及びバックライト制御部４９は、上記第１
の実施の形態と同等の動作を行う。
また、この第２の実施の形態における、画像信号の供給元である各画像供給元装置は、
静止画モードであるか否かを表す画像モードと、１フレーム画像の画像データ量を表すデ
ータ量とを画像信号に付加して送信する。
【００４７】
判定部５３は、コマンド判定部５３ａとカウンタ部５３ｂとを備え、フレーム画像取得
部４０からのモード情報に基づいて、コマンド判定部５３ａで静止画モードであるか否か
を判定し、動画モードであると判定したときには切り替え部５１を、色変換部４１からの
画像データを出力する通常ルート側に切り替えると共に、切り替え部５２を、画像処理部
５４からの入力をフレームメモリ５５に出力する通常ルート側に切り替える。さらに、フ
レーム画像取得部４０からの画像データの先頭に付加されている書き込み制御コマンドＷ
Ｒをトリガとして、カウンタ部５３ｂのアドレスカウンタによる画像データのカウントを
開始させ、アドレスカウンタのカウント値が、画像供給元装置から通知された画像データ
量相当となったとき、切り替え部５１をフレームメモリ５５から読み出された画像データ
を入力するループ側に切り替える。したがって、色変換部４１から入力される画像データ
は、切り替え部５１、画像処理部５４、切り替え部５２を介してフレームメモリ５５に書
き込まれると共に、フレームメモリ５５から読み出されて再度切り替え部５１を介して画
像処理部５４に入力されここで補正された後、切り替え部５２を介してフレームメモリ５
５に書き込まれる。そして、このフレームメモリ５５から画像データが、ライン毎に読み
出され、ラインバッファ５６、γ補正部５７、判定処理部５８及びソースアンプ５９を経
由して、公知のγ補正処理、反転処理、が行われた後、画像表示信号として出力されて、
画像表示が行われる。
【００４８】
一方、静止画モードであると判定したときには、切り替え部５１及び５２を通常ルート
側に切り替えると共に、書き込み制御コマンドＷＲをトリガとして、カウンタ部５３ｂの
アドレスカウンタで画像データ数をカウントすることにより、静止画１フレーム分の画像
データを読み込んだかどうかを判断し、アドレスカウンタのカウンタ値が、静止画の１フ
レーム分の画像データ相当となったとき、切り替え部５１をループ側に切り替えると共に
、カウンタ回路を起動する。このカウンタ回路が停止指令出力規定値に達したとき、画像
処理部５４に対して停止指令を出力すると共に、切り替え部５２を、切り替え部５１から
のデータを入力するループ側に切り替える。前記停止指令出力規定値は、画像処理部５４
での、統計演算結果を用いて補正した静止画のフレーム画像に対応する画像データに対す
る所定の補正処理が終了し、補正後の画像データがフレームメモリ５５に全て書き込まれ
るまでの所要時間に相当する値に設定される。
そして、この状態から、フレーム画像取得部４０から新たに画像データを入力したとき
、画像処理部５４への停止指令の出力を終了する。
【００４９】
画像処理部５４は、図７に示すように、ヒストグラム生成部４３′、レベル補正部４４
、明るさ補正部４５、調光率演算部４６、及び時間フィルタ部４７を備え、これらは上記
第１の実施の形態と同等の機能を有するが、前記ヒストグラム生成部４３′には、色変換
部４１からの画像データが入力され、ヒストグラム生成部４３′では、画像データに基づ
き上記のヒストグラムの生成や分布特性値の算出を行うと共に、入力した画像データをフ
レームメモリ５５に書き込む。また、前記レベル補正部４４には、フレームメモリ５５か
ら読み出した画像データが入力される。そして、時間フィルタ部４７でフィルタ処理され
た画像データがフレームメモリ５５に書き込まれ、この画像データが、ラインバッファ５
６、γ補正部５７、反転処理部５８及びソースアンプ５９を経由して、画像表示信号が生
成され、これに基づき画像表示が行われる。また、画像処理部５４は、判定部５３から停
止指令を入力したとき、ヒストグラム生成部４３′の記憶領域４３ｄに格納された統計演
算結果を保存したまま、その他の処理は停止し、停止指令の入力が終了したとき動作状態
に復帰する。
一方、時間フィルタ部４７でフィルタ処理された調光率は、バックライト制御部４９に
入力され、これに基づいてバックライト３２の光源量が制御される。
【００５０】
次に、この第２の実施の形態の動作を説明する。
画像供給元装置から、画像モードとして動画モードが設定された画像信号が入力される
と、フレーム画像取得部４０でフレーム画像Ａが取得されて色変換部４１に出力されると
共に、フレーム画像Ａの画像データＤ（Ａ）、画像モードやデータ量が判定部５３に入力
される。
判定部５３では、動画モードが設定されていることから、切り替え部５１及び５２を通
常ルート側に切り替えると共に、書き込み制御コマンドＷＲをトリガとして、カウンタ部
５３ｂで画像データＤ（Ａ）のカウントを開始し、カウンタ部５３ｂで１フレームの画像
データＤ（Ａ）を獲得したと判定したとき、切り替え部５１をループ側に切り替える。
【００５１】
一方、フレーム画像取得部４０で獲得されたフレーム画像Ａの画像データＤ（Ａ）は色
変換部４１で所定の変換処理が行われた後、通常ルート側に制御された切り替え部５１を
経由して画像処理部５４に入力される。
画像処理部５４に入力された画像データＤ（Ａ）はヒストグラム生成部４３′に入力さ
れ、ヒストグラム生成部４３′では、入力された画像データＤ（Ａ）をそのままフレーム
メモリ５５に書き込むと共に、ヒストグラムの生成や、分布特性値の算出を行い、フレー
ム画像Ａに基づく統計演算結果ａを記憶領域４３ｄに格納する。
【００５２】
続いて、フレームメモリ５５から画像データＤ（Ａ）が順次読み出されて、ループ側に
切り替えられた切り替え部５１を介して画像処理部５４に入力される。画像処理部５４に
入力された画像データＤ（Ａ）はレベル補正部４４により、記憶領域４３ｄに格納された
統計演算結果ａに基づいて、レベル補正が行われ、明るさ補正部４５で明るさ補正が行わ
れると共に調光率演算部４６で調光率の演算が行われ、明るさ補正後の画像データＤ（Ａ
）′及び調光率が時間フィルタ部４７でフィルタ処理された後、画像データＤ（Ａ）′は
フレームメモリ５５に格納され、調光率はバックライト制御部４９に出力される。
【００５３】
そして、このフレームメモリ５５に書き込まれた補正後の画像データＤ（Ａ）′がライ
ンバッファ５６、γ補正部５７、反転処理部５８、ソースアンプ５９を介して画像表示信
号が生成され、これに基づき画像表示が行われる。これによって、フレーム画像Ａの表示
が行われることになる。
続いて、判定部５３では、フレーム画像取得部４０から、動画であるフレーム画像Ｂの
画像データを入力すると、切り替え部５１を通常ループ側に切り替える。このため、フレ
ーム画像Ｂの画像データＤ（Ｂ）は、切り替え部５１から画像処理部５４、切り替え部４
２を経由してフレームメモリ５５に一旦格納され、この間、画像処理部５４のヒストグラ
ム生成部４３′では、画像データＤ（Ｂ）をもとに統計演算結果ｂを算出し、これを記憶
領域４３ｄに格納する。
【００５４】
判定部５３では、フレーム画像Ｂの入力と共に、画像データ数をカウントし、１フレー
ム分の画像データを入力したとき、切り替え部５１をループ側に切り替える。このため、
フレームメモリ５５から読み出された画像データＤ（Ｂ）は、切り替え部５１から画像処
理部５４のレベル補正部４４に入力され、ここで、記憶領域４３ｄに格納された統計演算
結果ｂを用いてレベル補正等処理の処理が行われた後、補正後の画像データＤ（Ｂ）′は
フレームメモリ５５に書き込まれ、これに基づき画像表示が行われると共に、算出された
調光率に基づいてバックライト制御部４９で調光が行われ、すなわち、補正された画像デ
ータＤ（Ｂ）′に応じた光量に制御されることになる。
【００５５】
以後、表示パネル３０のフレーム更新周期に同期して、これら一連の処理が行われるこ
とにより、フレーム画像、例えば、フレーム画像Ａの画像データＤ（Ａ）に基づく統計演
算結果ａにより、画像データＤ（Ａ）自身が補正された画像データ画像データＤ（Ａ）′
により、フレーム画像Ａ相当の画像表示が行われることになる。
一方、このように動画を入力している状態から、静止画が入力されると、画像供給元装
置から、静止画モードとして通知されることから、判定部５３では、切り替え部５１を通
常ルート側に切り替えると共に、画像データのカウントを開始する。
【００５６】
色変換部４１からのフレーム画像、例えばフレーム画像Ｃの画像データＤ（Ｃ）は、切
り替え部５１、画像処理部５４、切り替え部５２を介してフレームメモリ５５に書き込ま
れると共に、画像処理部５４で、分布特性値の算出が行われその統計演算結果ｃが記憶領
域４３ｄに格納される。
そして、１フレーム分の画像データＤ（Ｃ）を入力し終えたタイミングで、切り替え部
５１がループ側に切り替えられ、フレームメモリ５５に書き込まれた画像データＤ（Ｃ）
が、切り替え部５１を介して画像処理部５４に再度格納され、ここで、明るさ補正等の処
理が行われた後、補正後の画像データＤ（Ｃ）′が、フレームメモリ５５に書き込まれ、
これに基づき画像表示が行われる。
【００５７】
そして、判定部５３では、カウンタ部５３ｂのカウント値が停止指令出力規定値に達し
たとき、画像処理部５４に対して停止指令を出力すると共に、切り替え部５２をループ側
に切り替える。
これによって、画像処理部５４では、所定の補正が行われた画像データＤ（Ｃ）′がフ
レームメモリ５５に書き込まれた後のタイミングで、停止指令を入力し、このタイミング
で画像処理部５４は停止状態となり、切り替え部５１及び５２ともにループ側に切り替え
られる。
【００５８】
このため、切り替え部５１、切り替え部５２、フレームメモリ５５のループが形成され
、フレームメモリ５５の更新が行われなくなる。そして、次のフレーム更新周期では、フ
レームメモリ５５の画像データＤ（Ｃ）′が読み出され、これに基づき、フレーム画像Ｄ
相当の画像表示が行われることになる。
そして、以後、フレーム更新周期毎に、フレームメモリ５５から、画像データがライン
バッファ５６に読み出され、これに基づき画像表示が行われる。
【００５９】
このように、第２の実施の形態においては、統計演算結果の算出を行うヒストグラム生
成部４３′と、画像データに対して補正を行うレベル補正部４４等の各種補正部とを、フ
レームメモリ５５の前に設け、入力した画像データをヒストグラム生成部４３′を経由し
てフレームメモリ５５に書き込んだ後、フレームメモリ５５の画像データを読み出しこれ
を補正した後、再度フレームメモリ５５に格納し、この補正した画像データを用いて画像
表示を行うようにしている。したがって、フレームメモリ５５に、補正を施した画像デー
タが格納されることになるから、補正が行われた静止画の画像データをフレームメモリ５
５に一旦書き込んだ後は、以後、フレーム画像が更新されるまでの間は、フレームメモリ
５５に格納されている、補正後の画像データを用いて画像表示を行えばよく、この間、統
計演算や補正処理を行う画像処理部５４を停止させたとしても何ら問題ない。
【００６０】
したがって、静止画が表示されている間、画像処理部５４を停止させることによって、
その分消費電力の削減を図ることができると共に、第２の実施の形態では、ヒストグラム
生成部４３′や、時間フィルタ部４７だけでなく、レベル補正部４４、明るさ補正部４５
及び調光率演算部４６についても停止させることができるから、消費電力をより削減する
ことができる。
また、入力したフレーム画像の画像データを一旦フレームメモリ５５に格納した後、こ
のフレームメモリ５５から読み出した画像データに対してレベル補正等を行うようにして
いるから、色変換部４１から、フレーム画像の画像データが１度しか送られない場合であ
っても、容易に実現することができる。
【００６１】
次に、上述した液晶表示装置１００を適用した電子機器について説明する。
図８は、液晶表示装置１を適用した携帯電話１２０の構成を示す斜視図である。
この図８に示すように、携帯電話１２０は、複数の操作ボタン１２１のほか、受話口１
２２、送話口１２３と共に、上述した液晶表示装置１を備えるものである。なお、液晶表
示装置１のうち、表示パネル３０以外の構成要素については電話機に内蔵されるので、外
観としては現れない。
【００６２】
また、液晶表示装置１が適用される電気機器としては、図８に示される携帯電話の他に
も、デジタルスチルカメラや、ノートパソコン、液晶テレビ、ビューファインダ型（また
はモニタ直視型）のビデオレコーダ、カーナビゲーション装置、ページャ、電子手帳、電
卓、ワードプロセッサ、ワークステーション、テレビ電話、ＰＯＳ端末、タッチパネルを
備えた機器等が挙げられる。そして、これらの各種電子機器の表示装置として、上述した
液晶表示装置１が適用可能であることはいうまでもない。
【００６３】
なお、上記実施の形態において、ヒストグラム生成部４３、４３′が、統計演算手段に
対応し、レベル補正部４４、明るさ補正部４５が補正手段に対応し、画像表示信号生成部
４８が画像表示手段に対応し、バックライト制御部４９が光源制御手段に対応し、判定部
５０、５３が静止画判定手段に対応している。
また、時間フィルタ部４７がフィルタ手段に対応している。
【図面の簡単な説明】
【００６４】
【図１】本発明の実施の形態の一例を示す画像表示装置の概略構成図である。
【図２】第１の実施の形態における画像処理エンジンの構成を示すブロック図である。
【図３】図２のヒストグラム生成部の機能構成を説明する図である。
【図４】動画モードにおける各部の動作を表すタイミングチャートである。
【図５】静止画モードにおける各部の動作を表すタイミングチャートである。
【図６】第２の実施の形態における画像処理エンジンの構成を示すブロック図である。
【図７】図６の画像処理部の構成を示すブロック図である。
【図８】本発明の画像表示装置を適用した携帯電話の構成を示す斜視図である。
【符号の説明】
【００６５】
１  画像表示装置、１５  画像処理エンジン、４２、５５  フレームメモリ、４３、４
３′  ヒストグラム生成部、４４  レベル補正部、４７  時間フィルタ部、５０、５３  
判定部
【図１】
2008209828.tif 000003
【図２】
2008209828.tif 000004
【図３】
2008209828.tif 000005
【図４】
2008209828.tif 000006
【図５】
2008209828.tif 000007
【図６】
2008209828.tif 000008
【図７】
2008209828.tif 000009
【図８】
2008209828.tif 000010